(57)【要約】【課題】パネル部材が積層された液晶表示パネルにおいて、表示領域に湿気を原因とした曇りが発生することを確実に防止することができ、良好な表示品位を得ることのできる液晶表示パネルを提供する。【構成】電極３が形成された２枚の透明基板１間に液晶を封入してなる表示用の液晶パネル４に対し、透明基板１を備えたパネル部材２を積層させ、吸湿性を有する素材７（９）を含んで形成されてなるシール材６によって、表示用の液晶パネル４の透明基板１とパネル部材２の透明基板１とを固着させて一体とする。【選択図】図２
2008009049.tif 000002
【特許請求の範囲】
【請求項１】
電極が形成された２枚の透明基板間に液晶を封入してなる表示用の液晶パネルに対し、透明基板を備えたパネル部材を積層させ、シール材によって前記表示用の液晶パネルの透明基板と前記パネル部材の透明基板とを固着させて一体とした構成を有する液晶表示パネルであって、前記シール材は吸湿性を有する素材を含んで形成されてなることを特徴とする液晶表示パネル。
【請求項２】
前記パネル部材は、光学補償用の液晶パネルであることを特徴とする請求項１に記載の液晶表示パネル。
【請求項３】
前記シール材は、吸湿性を有する繊維が混入された粘着材であることを特徴とする請求項１または請求項２に記載の液晶表示パネル。
【請求項４】
前記シール材は、吸湿性を有する繊維からなるシート状部材を基材とする両面粘着テープであることを特徴とする請求項１乃至請求項３のいずれか１項に記載の液晶表示パネル。
【請求項５】
前記シール材は、前記表示用の液晶パネルの非表示領域において、外縁部全周に配設されてなることを特徴とする請求項１乃至請求項４のいずれか１項に記載の液晶表示パネル。
【発明の詳細な説明】
【技術分野】
【０００１】
本発明は、液晶パネルに対し、ガラス基板を備えたパネル部材を積層させ、シール材により一体に固着させた構成を有する液晶表示パネルに関する。
【０００２】
例えば、２枚の液晶パネルを積層させた構成を有するＤＳＴＮ（Double-layer Super Twisted Nematic）型の液晶表示パネルに関する。
【背景技術】
【０００３】
２枚の液晶パネルを積層させた構成を有するＤＳＴＮ（Double-layer Super Twisted Nematic）型の液晶表示パネルにおいては、一方の液晶パネルを表示用に駆動させて表示パネルとして用い、他方の液晶パネルは背景の着色効果を複屈折効果の補償により解消するための光学補償パネルとして用いるようになっている。
【０００４】
前述のＤＳＴＮ型の一般的な液晶表示パネルは、２枚の透明基板間に液晶を封入した光学補償パネルと、対向面にそれぞれ電極が形成された２枚の透明基板間に光学補償パネルの液晶に対して逆ツイストの液晶を封入した表示パネルとを積層し、非表示領域に配設したシール材で固定して一体とし、この一体とされた両パネルの上下面にそれぞれ偏光板を配設した構成とされている（ＤＳＴＮ型の液晶表示パネルについて、例えば、特許文献１）。
【０００５】
【特許文献１】特開２００３−３２２８４６号公報
【発明の開示】
【発明が解決しようとする課題】
【０００６】
ところで、前述のようなＤＳＴＮ型の液晶表示パネルにおいて、２枚の液晶パネルを貼り合わせるシール材でとして、一般的には、ポリエチレン（ＰＥＴ）、ポリエステル、カプトン（アミド系）等からなるシート基材を、上下両面から、粘着材としての公知のアクリル系粘着材で挟んだ構成の両面粘着テープが用いられている。
【０００７】
しかしながら、従来の両面粘着テープでは、２枚の液晶パネルの対向面の非表示領域となる周縁部全周にシール材である両面粘着テープを配設し、該液晶表示パネルの表示領域を囲繞するようにしても、前記両面粘着テープのアクリル系粘着材部分より湿気（水気）が浸透し、前記表示領域に湿気による曇りを発生させ、表示品位を低下させることがあった。
【０００８】
このような湿気による曇り発生の問題は、２枚の液晶パネルとシール材とによって閉空間を形成した場合に限られたものではなく、例えば、１枚の液晶パネルにシール材によってＩＴＯヒータの透明基板が貼設され、閉空間を形成するような場合においても生じていた。
【０００９】
そこで、本発明は、パネル部材が積層された液晶表示パネルにおいて、表示領域に湿気を原因とした曇りが発生することを確実に防止することができ、良好な表示品位を得ることのできる液晶表示パネルを提供することを目的とするものである。
【課題を解決するための手段】
【００１０】
前述した目的を達成するため、本発明の第１の特徴は、電極が形成された２枚の透明基板間に液晶を封入してなる表示用の液晶パネルに対し、透明基板を備えたパネル部材を積層させ、シール材によって前記表示用の液晶パネルの透明基板とパネル部材の透明基板とを固着させて、前記表示用の液晶パネルとパネル部材とを一体とした構成を有する液晶表示パネルであって、前記シール材は吸湿性を有する素材を含んで形成されてなる点にある。
【００１１】
また、本発明の第２の特徴は、前記パネル部材は、光学補償用の液晶パネルである点にある。
【００１２】
そして、本発明の第３の特徴は、前記シール材として、吸湿性を有する繊維が混入された粘着材を用いる点にあり、第４の特徴は、前記シール材として、吸湿性を有する繊維からなるシート状部材を基材とする両面粘着テープを用いる点にある。
【００１３】
また、本発明の第５の特徴は、前記シール材は、前記表示用の液晶パネルの非表示領域において、外縁部全周に配設されてなる点にある。
【発明の効果】
【００１４】
本発明の液晶表示パネルによれば、前記表示用の液晶パネルとパネル部材とを積層させて固着させるとともに、前記シール材を構成する吸湿性を有する素材によってシール材部分を浸透する湿気や水気を吸収することで、前記表示領域に湿気による曇りが発生することを防止することができ、良好な表示品位を得ることができる。
【００１５】
例えば、前記パネル部材として他の液晶パネルを用いた前記ＤＳＴＮ型の液晶表示パネルにおいては、２枚の液晶パネルの間隙部分に存在する湿気を、シール材を構成する吸湿性を有する素材が吸収することで、前記表示パネル部材の表示領域に、湿気による曇りが発生することを防止することができ、良好な表示品位を得ることができる。
【００１６】
具体的には、前記シール材として、吸湿性を具備する繊維が混入された粘着材を用いることで、前記粘着材により、前記表示用の液晶パネルとパネル部材とを積層させて固着させるとともに、前記繊維によってその両者間に存在する湿気を吸収することで、前記表示領域に湿気による曇りが発生することを防止することができ、良好な表示品位を得ることができる。
【００１７】
また、前記シール材として、吸湿性を有する繊維からなる、例えば不織布、フェルト等のシート状部材を基材とする両面粘着テープを用いることで、両面粘着テープにより、前記表示用の液晶パネルとパネル部材とを積層させて固着させるとともに、前記繊維によってその両者間に存在する湿気を吸収することで、前記表示領域に湿気による曇りが発生することを防止することができ、良好な表示品位を得ることができる。
【００１８】
そして、前記シール材を、表示用の液晶パネルの非表示領域において、外縁部全周に配設し、前記シール材部分から浸透しようとする湿気を、シール材を構成する吸湿性を有する素材が吸収することで、対向配置される前記表示用の液晶パネルの透明基板、パネル部材の透明基板及びシール材とで囲繞される閉空間を低湿空間とすることができ、前記表示領域に湿気による曇りが発生することを防止して、良好な表示品位を得ることができる。
【発明を実施するための最良の形態】
【００１９】
以下、本発明の液晶表示パネルの一実施形態として、表示用の液晶パネルに光学補償用の液晶パネルが積層して配置されたＤＳＴＮ型の液晶表示パネルについて説明する。
【００２０】
本実施形態の液晶表示パネルは、図１に示すように、２枚の透明基板１、１間に液晶層（図示せず）が封入された光学補償パネル２と、対向面にそれぞれ電極（電極端子を符号３で示す）が形成された２枚の透明基板１、１間に光学補償パネル２の液晶に対して逆ツイストの液晶からなる液晶層（図示せず）が封入された表示パネル４と有している。
【００２１】
そして、前記光学補償パネル２と表示パネル４は積層して配置され、表示パネル４の非表示領域における外縁部全周（図４（Ａ）参照）に配設された矩形枠状のシール材６により、固定されて一体とされている。そして、一体とされた両パネル２，４の上下面には、それぞれ偏光板５、５が配設されている。
【００２２】
ここで、本実施形態においては、前記シール材６として、吸湿性を有する素材を含んで形成されたシール材が使用されており、具体的には、図２に示すように、吸湿性を有する繊維からなるシート状部材としての不織布７を基材とし、その上下両面から、接着材としての公知のアクリル系粘着材８で挟んだ構成の両面粘着テープが使用されている。
【００２３】
なお、前記シール材６として、図３に示すように、吸湿性を具備する繊維９を混入させたアクリル系粘着材９等の粘着材を用いてもよい。
【００２４】
前記繊維としては、吸水性、吸湿性を有した素材であることが条件である。前記不織布に代表されるシート状部材においては剛性や繊維密度は、その繊維が吸収することにより、光学補償パネル、表示パネル及びシール材によって囲繞された閉空間内に湿気が浸透することを防止できるものであればよい。よって、前記シート状部材としては、ネットや薄いフェルト等を用いることも可能である。
【００２５】
なお、本実施形態においては前記両面粘着テープの厚さはＤＳＴＮとしての特性が出せる厚さとし、其の幅や長さは透明基板等のサイズ（セルサイズ）に合わせるものとする。
【００２６】
このような構成を有する液晶表示パネルによれば、光学補償パネル２と表示パネル４との間隙部分に存在する湿気やシール材６（主に、アクリル系粘着材８）を浸透する湿気を、前記不織布７がその吸湿性により吸収することで、対向配置される光学補償パネル２の透明基板１と表示パネル４の透明基板１及びシール材６とで囲繞される閉空間を低湿空間とすることができ、前記表示パネルの表示領域に、湿気による曇りが発生することを防止することができる。
【００２７】
実  験：
図１に示す積層構造とされた液晶表示パネルにおいて、吸湿素材からなる繊維により形成された不織布を基材とする両面粘着テープを、前記表示パネルと光学補償パネルとを固着させるシール材として用いた液晶表示パネル（第１試料）と、従来より使用されていたＰＥＴシートを基材とし、上下両面から、粘着材としての公知のアクリル系粘着材で挟んだ構成の両面粘着テープをシール材として用い、その形状を図４な第１試料と同様とする１つの液晶表示パネル（第２試料）の計２つの試料について、同じ湿度環境に放置して（温度：６０℃、湿度：９０％ＲＨ、放置時間：５００ｈ）、その後、点灯検査を行って、表示領域の曇りの発生を目視確認する実験を行った。
【００２８】
その結果、図４に示す、表示領域を囲む、閉じた矩形枠状に形成したシール材により、前記表示パネルと光学補償パネルとを一体に固定させた液晶表示パネル（第１試料）においては、その表示領域に曇りの発生が全く見られなかった。
【００２９】
これに対し、前記第２試料の液晶表示パネルにおいては、従来の問題点にあったように、その表示領域に若干の曇りの発生が確認された。
この結果からも、本実施形態の液晶表示パネルのように、吸湿性を有する繊維を具備し、あるいは繊維を含有するシール材を表示領域を囲繞する枠状に形成し、前記シール材の繊維によって、シール材部分を浸透する湿気や水気を吸収して表示領域を低湿空間とすることにより、前記表示領域に湿気による曇りが発生することを防止することができ、良好な表示品位を得ることができた。
【００３０】
なお、本発明は、前述した実施の形態に限定されるものではなく、必要に応じて種々の変更が可能である。
【００３１】
例えば、前記パネル部材は、前述のような他の液晶パネルに限らない。例えば、透明基板にヒータ用引き廻し電極が形成されたＩＴＯヒータパネル等のようなパネル部材であってもよい。
【図面の簡単な説明】
【００３２】
【図１】本発明の第１実施形態の液晶表示パネルとしてのＤＳＴＮ型の液晶表示パネルの要部構成を示す断面図
【図２】図１の引き出し部Ａにおけるシール材の拡大説明図
【図３】図１の引き出し部Ａにおける別のシール材の拡大説明図
【図４】本実施形態の液晶表示パネルにおけるシール材の形状を異ならせた場合の効果実験の結果を示す概要図
【符号の説明】
【００３３】
１  透明基板
２  光学補償パネル（液晶パネル）
３  電極端子
４  表示パネル（液晶パネル）
５  偏光板
６  シール材
７  不織布（吸湿性繊維からなるシート状部材）
８  アクリル系粘着材
９  （吸湿性）繊維（短繊維＝ファイバー）
【図１】
2008009049.tif 000003
【図２】
2008009049.tif 000004
【図３】
2008009049.tif 000005
【図４】
2008009049.tif 000006